【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
患者移送システムであって、  前記患者の胴体の少なくとも一部と該患者の大腿とを支持する実質的に剛性なフレーム構造を有する患者支持フレームと、  垂直昇降機構を有する患者移送装置と、を備え、  前記患者支持フレームが、少なくとも２つの第１連結コンポーネントを有し、  前記垂直昇降機構が、前記患者の支持フレームの少なくとも２つの第１連結コンポーネントのいずれかに取外し可能に連結される相補的連結コンポーネントを有し、  前記相補的連結コンポーネントが、前記２つの第１連結コンポーネントの一方に取外し可能に連結されると、前記患者支持フレームが、前記患者移送装置に対し、少なくとも第１配向で面し、  前記相補的連結コンポーネントが、前記２つの第１連結コンポーネントの他方に取外し可能に連結されると、前記患者支持フレームが、前記患者移送装置に対し、前記第１配向以外の少なくとも一の配向で面する、  ことを特徴とする患者移送システム。
【請求項２】
前記相補的連結コンポーネントは、前記垂直昇降機構の少なくとも１つの突叉を備え、  前記少なくとも２つの第１連結コンポーネントは、前記突叉を受け入れる少なくとも１つの受け部を有する、  請求項１に記載の患者移送システム。
【請求項３】
前記的連結コンポーネントは、前記垂直昇降機構の少なくとも１つの突叉を備え、  前記少なくとも２つの第１連結コンポーネントは、前記突叉を受け入れる受け部を備え、  前記実質的に剛性のフレーム構造が、シート部を備え、  前記少なくとも１つの受け部が、該シート部の下面に連結されている、  請求項１に記載の患者移送システム。
【請求項４】
前記相補的連結コンポーネントは、前記垂直昇降機構の少なくとも１つの突叉を備え、  前記少なくとも２つの第１連結コンポーネントは、前記突叉を受け入れる受け部を備え、  前記少なくとも１つの受け部が、前記少なくとも１つの突叉を前記少なくとも１つの受け部に挿入することによって、前記少なくとも１つの突叉を受け入れる、  請求項１に記載の患者移送システム
【請求項５】
前記少なくとも２つの第１連結コンポーネントの前記一方は、前記少なくとも２つの第１連結コンポーネントの他方に直交する配向を有する、  請求項１に記載の患者移送システム。
【請求項６】
前記相補的連結コンポーネントは、前記垂直昇降機構の少なくとも２つの突叉を有し、  前記少なくとも２つの第１連結コンポーネントは、前記２つの突叉を受け入れる少なくとも２つの受け部を有する、  請求項１に記載の患者移送システム。
【請求項７】
前記少なくとも２つの第１連結コンポーネントと前記相補的連結コンポーネントとは、前記患者支持フレームの搬送中にロックできる解除可能ロックを有する、  請求項１に記載の患者移送システム。
【請求項８】
前記垂直昇降機構は、電動昇降機構である、  請求項１に記載の患者移送システム。
【請求項９】
前記患者移送装置は、車輪付き移送装置の車輪に支持されている、  請求項１に記載の患者移送システム。
【請求項１０】
前記患者移送装置は、車輪付き移送装置の車輪に支持され、  該車輪は、駆動システムに作動的に連結されている、  請求項１に記載の患者移送システム。
【請求項１１】
前記患者移送装置は、車椅子装置、スクータ装置、及び電動機付き車両から成る群から選択された患者用自走装置を更に有し、  前記患者用自走装置は、前記患者支持フレームを受け入れ、これに連結される、  請求項１に記載の患者移送システム。
【請求項１２】
前記患者移送装置は、車椅子装置、スクータ装置、及び原動機付き車両から成る群から選択された患者用自走装置であり、  該患者用自走装置が、前記患者支持フレームを受け入れ、これに連結され、  前記患者支持フレームが、前記患者用自走装置の相補的連結コンポーネントに連結される少なくとも１つの第２連結コンポーネントを有する、  請求項１に記載の患者移送システム。
【請求項１３】
前記実質的に剛性のフレーム構造が、患者を着座位置で支持するようになったシートを更に有し、  該シートは、前記垂直昇降機構の前記相補的連結コンポーネントに連結される連結コンポーネントを有する、  請求項１に記載の患者移送システム。
【請求項１４】
前記患者支持フレームが、  実質的に剛性の第１フレーム構造を少なくとも有する第１患者支持フレームコンポーネントと、  前記第１患者支持フレームコンポーネントに取外し可能に連結された第２フレームコンポーネントとを有し、  該第２フレームコンポーネントは、実質的に剛性の第２フレーム構造を少なくとも有する、  請求項１に記載の患者移送システム。
【請求項１５】
前記患者支持フレームは、患者の股関節部の近くに位置する関節連結可能な継手を有する、  請求項１に記載の患者移送システム。
【請求項１６】
前記患者支持フレームが、患者の股関節部の近くに位置する関節連結可能な継手を有し、  前記患者支持フレームは、  少なくとも実質的に剛性の第１フレーム構造を有する第１患者支持フレームコンポーネントと、  実質的に剛性の第２フレーム構造を少なくとも有し、前記第１患者支持フレームコンポーネントに取外し可能に連結された第２フレームコンポーネントとを有する、  請求項１に記載の患者移送システム。
【請求項１７】
前記患者支持フレームは、  長手方向に延びる剛性の１対の垂直支持体を有する実質的に剛性のフレーム構造と、  前記剛性垂直支持体に取外し可能に連結され該垂直支持体相互間で側方に延びるウェッビング及びストラップの少なくとも一方とを更に有する、  請求項１に記載の患者移送システム。
【請求項１８】
前記患者支持フレームは、  患者の周りに取外し可能に固定される、  請求項１に記載の患者移送システム。
【請求項１９】
前記実質的に剛性のフレーム構造は、着座姿勢の患者を支持するシートを備え、  該シートが、前記垂直昇降機構の相補的連結コンポーネントに連結される少なくとも２つの第１連結コンポーネントを有し、  前記シートは、大腿支持部分及び胴体支持部分を更に有する、  請求項１に記載の患者移送システム。
【請求項２０】
前記前記垂直昇降機構が原動機付き昇降機構であり、  前記患者移送装置は、前記患者及び介護者が作動可能である、  請求項１に記載の患者移送システム。
【請求項２１】
前記第１配向が、前面対向、背面対向、左面対向、および右面対向からなる群から選択される、  請求項１に記載の患者移送システム。
【請求項２２】
前記患者移送装置が、車椅子装置、スクータ装置、及び原動機付き車両から成る群から選択された患者用自走装置であり、  該患者用自走装置が、前記患者支持フレームを受け入れ、これに連結され、  前記患者用自走装置は、前記患者及び介護者が作動可能である、  請求項１に記載の患者移送システム。
【請求項２３】
前記患者移送装置が、車椅子装置、スクータ装置、及び原動機付き車両から成る群から選択された患者用自走装置であり、  該患者用自走装置が、前記患者支持フレームを受け入れ、これに連結され、  前記患者用自走装置は、操舵ハンドルバーを有し、該操舵ハンドルバーが少なくとも２つの配向の間で回動可能である、  請求項１に記載の患者移送システム。
【請求項２４】
前記患者移送装置が、車椅子装置、スクータ装置、及び原動機付き車両から成る群から選択された患者用自走装置であり、  該患者用自走装置が、前記患者支持フレームを受け入れ、これに連結され、  前記患者用自走装置は、操舵ハンドルバーを有し、該操舵ハンドルバーが少なくとも２つの配向の間で回動可能であり、  前記操舵ハンドルバーの少なくとも２つの配向が介護者制御配向及び患者制御配向を有し、前記自走装置を介護者または患者が操作可能としている、  請求項１に記載の患者移送システム。
【請求項２５】
患者移送システムであって、  少なくとも着座位置にある患者の胴体の少なくとも一部分及び前記患者の大腿を支持する実質的に剛性のフレーム構造を有し第１連結コンポーネントをさらに有する患者支持フレームと、  移送用原動機付き駆動システムに作動的に連結された車輪に支持された患者移送装置であって、前記患者支持フレームの前記第１連結コンポーネントに取外し可能に連結可能な相補的連結コンポーネントを含む原動機付き垂直昇降機構を有しする前記患者移送装置と、  前記患者移送装置に移動可能に取付けられた支持ビームを備えた垂直支持プラットホームと、  前記垂直支持プラットホームに取外し可能に連結され前記患者の胴体の少なくとも一部分と患者の大腿を支持する少なくとも２つの支持ストラップと、を備えている、  ことを特徴とする患者移送システム。
【請求項２６】
前記相補的連結コンポーネントは、少なくとも１つのフォークを有し、  前記第１連結コンポーネントは、少なくとも１つの受け部を有し、  前記相補的連結コンポーネントを前記第１連結コンポーネントに取外し可能に連結することが、前記少なくとも１つのフォームを前記少なくとも１つの受け部に挿入することを含む、  請求項２５に記載の患者移送システム。
【請求項２７】
前記患者支持フレームは、患者の股関節部の近くに位置する関節連結可能な継手を有している、  請求項２５に記載の患者移送システム。
【請求項２８】
前記患者支持フレームが、患者の股関節部の近くに位置する関節連結可能な継手を有し、  前記実質的に剛性のフレーム構造は、大腿支持フレーム構造コンポーネントに取外し可能に取り付けられた胴体支持フレーム構造コンポーネントを有する、  請求項２５に記載の患者移送システム。
【請求項２９】
前記昇降コラムの下端近傍から略水平方向に延びる少なくとも１つの脚を備え、  該脚に少なくとも１つの車輪が取付けられている、  請求項１に記載の患者移送システム。
【請求項３０】
前記昇降コラムの下端近傍から略水平方向に延びる少なくとも１つの脚を備え、  該脚に少なくとも１つの車輪が取付けられ、  前記少なくとも１つの脚が、前記昇降コラムの下端近傍から略水平方向に延びる少なくとも２つの脚を備え、  該２つの脚の各々が、これに取付けられた少なくとも１つの車輪を備えている、  請求項１に記載の患者移送システム。
【請求項３１】
前記垂直昇降機構に対する前記患者支持フレームの角度が前記患者の姿勢を変更できるように調整可能である、  請求項１に記載の患者移送システム。
【請求項３２】
前記垂直昇降機構に取外し可能に取付けられた垂直支持プラットフォームをさらに備え、  前記患者が、前記垂直支持プラットフォームの下で吊され、  前記患者の胴体が第１支持ストラップで支持され、患者の大腿が第２ストラップで支持され、  前記第１ストラップおよび第２ストラップが、前記垂直支持プラットフォームに取外し可能に取付けられている、  請求項１に記載の患者移送システム。
【請求項３３】
前記患者移送装置が、制御装置を備え、  該制御装置が、２つの配向の間で回動可能である、  請求項１に記載の患者移送システム。
【請求項３４】
前記患者移送装置が、制御装置を備え、  該制御装置が、２つの配向の間で回動可能であり、  前記制御装置の少なくとも２つの配向が、介護者制御方向と患者制御方向である、  請求項１に記載の患者移送システム。
【請求項３５】
患者移送システムであって、  少なくとも着座状態の患者の胴体の少なくとも一部と該患者の大腿とを支持する実質的に剛性なフレーム構造と第１連結コンポーネントとを有する患者支持フレームと、  車輪に支持され、前記患者支持フレームの前記第１連結コンポーネントと取外し可能に連結可能な相補的連結コンポーネントを有する原動機付き垂直昇降機構を有する患者移送装置と、  前記垂直昇降機構に取外し可能に取付けられる支持ビームを備えた垂直支持プラットフォームと、  前記垂直支持プラットフォームに取外し可能に連結される少なくとも２つの支持ストラップと、を備え、  前記２つの支持ストラップが、前記患者の胴体の少なくとも一部分と該患者の大腿とを支持し、  少なくとも１つの車輪が、原動機付き駆動システムに作動的に連結されている、  ことを特徴とする患者移送システム。
【請求項３６】
前記相補的連結コンポーネントが、少なくとも１つのフォークを備え、  前記第１連結コンポーネントが、少なくとも１つの受け部を備え、  前記相補的連結コンポーネントを前記第１連結コンポーネントに取外し可能に連結することが、前記少なくとも１つのフォークを前記少なくとも１つの受け部に挿入することを伴う、  請求項３５に記載の患者移送システム。
【請求項３７】
前記垂直昇降機構の下端から略水平方向に延びる複数の脚を備え、  該複数の脚の各々が、これに取付けられた少なくとも１つの車輪を有する、  請求項３５に記載の患者移送システム。
【請求項３８】
前記垂直昇降機構および前記少なくとも２つのストラップに支持された患者に対する角度が、垂直支持プラットフォームを回動させることによって調節可能である、  請求項３５に記載の患者移送システム。
【請求項３９】
患者移送システムであって、  リフトカートであって、支持ビームと備えた垂直支持プラットフォームと、該垂直支持フォームを支持面に対して昇降させ、前記垂直支持プラットフォームを取外し可能に取付けることができる昇降コラムと、垂直支持プラットフォームに取付けられた少なくとも１つの連結コンポーネントと、前記昇降コラムと前記支持面との間に介在し前記支持面上で前記リフトカートを可動にする車輪とを有するリフトカートと、  前記少なくともの連結コンポーネントに取外し可能に取付けられたられる少なくとも１つの相補的連結コンポーネントを有する少なくとも１つの患者支持装置と、  前記昇降コラムに取付けられ昇降コラムによって上下動する患者支持パレットと、を備えている、  ことを特徴とする患者移送システム。
【請求項４０】
前記垂直支持プラットフォームが、上板を有する、  請求項３９に記載の患者移送システム。
【請求項４１】
前記患者支持装置が、少なくとも１つの背中支持部と少なくとも１つの大腿支持部を備えている、  請求項３９に記載の患者移送システム。
【請求項４２】
前記患者支持装置が、少なくとも１つの背中支持部と少なくとも１つの大腿支持部を備え、  該背中支持部および大腿支持部の少なくとも１つが、下に延び前記垂直支持プラットフォームに取外し可能に連結されている支持ストラップを備えている、  請求項３９に記載の患者移送システム。
【請求項４３】
前記患者支持装置が、少なくとも１つの背中支持部と少なくとも１つの大腿支持部を備え、  該背中支持部および大腿支持部の各々が、下に延び前記垂直支持プラットフォームに取外し可能に連結されている支持ストラップを備えている、  請求項３９に記載の患者移送システム。
【請求項４４】
前記昇降コラムから前記垂直支持プラットフォームを支持する操作可能なインターフェース連結部材をさらに備えている、  請求項３９に記載の患者移送システム。
【請求項４５】
前記昇降コラムから前記垂直支持プラットフォームを支持する操作可能インターフェース連結部材をさらに備え、  該操作可能インターフェース連結部材が、少なくとも関節連結および回動可能である、  請求項３９に記載の患者移送システム。
【請求項４６】
前記昇降コラムが、前記患者または介護者が操舵できる少なくとも２方向に回動可能なハンドルバーを有する、  請求項３９に記載の患者移送システム。
【請求項４７】
前記昇降コラムが、前記患者または介護者が操舵できる少なくとも２方向に回動可能なハンドルバーを有し、  前記リフトカートが、該ハンドルバーに取付けられたスロットルで操作可能な原動機付き駆動車輪を有する、  請求項３９に記載の患者移送システム。
【請求項４８】
前記昇降コラムが、前記患者または介護者が操舵できる少なくとも２方向に回動可能なハンドルバーを有し、  前記リフトカートが、該ハンドルバーに取付けられたスロットルで操作可能な原動機付き駆動車輪を有し、  前記リフトカートが、前記ハンドルバーに取付けられた制御装置によって操作可能なブレーキ機構を有する、  請求項３９に記載の患者移送システム。
【請求項４９】
前記昇降コラムが、前記患者または介護者が操舵できる少なくとも２方向に回動可能なハンドルバーを有し、  前記リフトカートが、該ハンドルバーに取付けられたスロットルで操作可能な原動機付き駆動車輪を有し、  前記リフトカートが、前記ハンドルバーに取付けられた制御装置によって操作可能なブレーキ機構を有し、  前記垂直支持プラットフォームが上板を有する、  請求項３９に記載の患者移送システム。
【請求項５０】
前記支持ビームが、下方に支持されている患者の側面を支持する一対のアームを備えている、  請求項３９に記載の患者移送システム。
【請求項５１】
前記患者支持パレットが、  前記患者の上半身を支持する実質的に剛性のフレーム構造を有する上半身レームセグメントと、前記患者の下半身を支持する実質的に剛性のフレーム構造を有する下半身フレームセグメントとの少なくとも一方を有する、  請求項３９に記載の患者移送システム。
【請求項５２】
前記患者支持パレットが、  前記患者の上半身を支持する実質的に剛性のフレーム構造を有する上半身レームセグメントと、前記患者の下半身を支持する実質的に剛性のフレーム構造を有する下半身フレームセグメントとの少なくとも一方を有し、  前記患者支持装置は、前記患者支持プラットフォームが前記昇降コラムから取外された後に前記昇降コラムに取外し可能に取付けられている、  請求項３９に記載の患者移送システム。
【請求項５３】
車輪付き脚の組を備え、  前記患者支持パレットが、該車輪付き脚の組に取外し可能に取付け可能であり、  前記患者支持パレットが、前記患者の上半身を支持する実質的に剛性のフレーム構造を有する上半身レームセグメントと、前記患者の下半身を支持する実質的に剛性のフレーム構造を有する下半身フレームセグメントとの少なくとも一方を有し、  前記患者支持装置は、前記患者支持プラットフォームが前記昇降コラムから取外された後に前記昇降コラムに取外し可能に取付けられている、  請求項３９に記載の患者移送システム。
【請求項５４】
昇降コラムの下端近傍から略水平方向に延びる少なくとも１つの脚を備え、  該脚に少なくとも１つの車輪が取付けられている、  請求項３９に記載の患者移送システム。
【請求項５５】
昇降コラムの下端近傍から略水平方向に延びる少なくとも１つの脚を備え、  該脚に少なくとも１つの車輪が取付けられ、  前記少なくとも１つの脚が、前記昇降コラムの下端近傍から略水平方向に延びる少なくとも２つの脚を備え、  該２つの脚の各々が、これに取付けられた少なくとも１つの車輪を備えている、  請求項３９に記載の患者移送システム。
【請求項５６】
前記昇降コラム機構に対する前記患者支持装置の角度が、前記患者支持プラットフォームを回動させることにより調整可能である、  請求項３９に記載の患者移送システム。
【請求項５７】
患者移送システムであって、  垂直支持プラットフォームを有するリフトカートと、  前記垂直支持プラットフォームを支持面に対して昇降させる昇降コラムと、  前記垂直支持プラットフォームに取付けられた少なくとも１つの連結コンポーネントと、  前記昇降コラムと前記支持面との間に介在し前記支持面上で前記リフトカートを可動にする車輪と、  前記少なくとも１つの連結コンポーネントに取外し可能に連結可能な少なくとも１つの相補的連結コンポーネントを有する少なくとも２つの支持ストラップと、  少なくとも１つの背部支持ストラップと、  少なくとも１つの大腿支持ストラップと、  患者を着座させる患者支持パレットと、を備え、  該患者支持パレットが着座面を有し、  該患者支持パレットが、前記患者を支持し、横方向を向き着座面内に延びる少なくとも１つの凹部を有し、該凹部が、前記背部支持ストラップおよび大腿支持ストラップの少なくとも一方と整列する、  ことを特徴とする患者移送システム。
【請求項５８】
前記垂直支持プラットフォームが、前記昇降コラムに取外し可能に取付けられ、  前記患者支持パレットが、前記垂直支持プラットフォームが前記昇降コラムから取外された後に前記昇降コラムに取外し可能に取付けられる、  請求項５７に記載の患者移送システム。
【請求項５９】
車輪付き脚の組を備え、  前記患者支持パレットが、該車輪付き脚に取外し可能に取付けられる、  請求項５７に記載の患者移送システム。
【請求項６０】
前記垂直支持プラットフォームが上板を備えている、  請求項５７に記載の患者移送システム。
【請求項６１】
前記垂直支持プラットフォームが支持ビームを備えている、  請求項５７に記載の患者移送システム。
【請求項６２】
前記垂直支持プラットフォームが支持ビームを備え、  該支持ビームが、下方で支持された患者の側方を支持する一対のアームを有する、  請求項５７に記載の患者移送システム。
【請求項６３】
前記昇降コラムの下端近傍から略水平方向に延びる少なくとも１つの脚を備え、  少なくとも１つの車輪が前記脚に取付けられている、  請求項５７に記載の患者移送システム。
【請求項６４】
前記昇降コラムの下端近傍から略水平方向に延びる少なくとも１つの脚を備え、  少なくとも１つの車輪が前記脚に取付けられ、  前記少なくとも１つの脚が、前記昇降コラムの下端近傍から略水平方向に延びる少なくとも２つの脚を備え、  該２つの脚の各々が、これに取付けられた少なくとも１つの車輪を備えている、  請求項５７に記載の患者移送システム。
【請求項６５】
前記昇降コラムに対する前記垂直支持プラットフォームの角度が調整可能である、  請求項５７に記載の患者移送システム。
【手続補正２】
【補正対象書類名】明細書
【補正対象項目名】０１００
【補正方法】変更
【補正の内容】
【０１００】  本発明についての上述の説明から、当業者であれば、本明細書において説明したシステム及び方法が本発明の例示の実施形態を構成することは明らかであり、本発明はこれらシステム及び方法そのものには限定されず、特許請求の範囲にに記載された本発明の範囲から逸脱しないでこれらに対して変更を行なうことができることは理解されるべきである。加うるに、特許請求の範囲にに記載された本発明の範囲に属するようにすることを目的として、本明細書において開示した本発明の明示の利点又は目的のうちのどれか又は全てに適合するようにすることは必要ではないことは理解されるべきである。というのは、本発明の固有の且つ（或いは）予測し得ない利点は、たとえこれらが本明細書において明示的に説明されていない場合であっても存在する場合があるからである。    本発明によれば、以下の態様も提供される。  患者の外骨格支持体となるフレームであって、  患者の上半身を支持するようになった剛性上半身フレームセグメントを有し、前記上半身フレームセグメントは、少なくとも第１の実質的に剛性のフレーム構造を含み、  患者の下半身を支持するようになっていて、関節連結可能な継手のところで前記上半身フレームセグメントに結合された剛性下半身フレームセグメントを有し、前記下半身フレームセグメントは、少なくとも第２の実質的に剛性のフレーム構造を含み、前記関節連結可能な継手は、患者の股関節部の近くで前記上半身及び前記下半身フレームセグメントの回動を可能にするようになっており、  前記上半身フレームセグメント及び前記下半身フレームセグメントのうちの少なくとも一方に設けられた少なくとも１つの結合コンポーネントを有し、前記結合コンポーネントは、これと相補する患者移動装置の結合コンポーネントに結合されるようになっている、フレーム。  患者を前記上半身フレームセグメント及び前記下半身フレームセグメントのうちの少なくとも一方に固定する手段を更に有する。  前記固定手段は、前記第１のフレーム構造及び前記第２のフレーム構造のうちの少なくとも一方の１対の剛性垂直支持体相互間に延びる少なくとも１つの側方ストラップを含む。  前記側方ストラップは、前記１対の垂直支持体の各々に解除自在に結合されている。  前記側方ストラップは、患者の上半身の後ろに延びるようになっている。  前記側方ストラップは、患者の上半身の前に延びるようになっている。  前記側方ストラップは、患者の下半身の後ろに延びるようになっている。  前記側方ストラップは、患者の上半身の前に延びるようになっている。  前記上半身フレームセグメントと前記下半身フレームセグメントは、前記関節連結可能な継手の近くで互いに解除自在に結合されている。  前記上半身フレームセグメントは、少なくとも２つの解除自在に結合されるサブコンポーネントを含み、前記サブコンポーネントのうちの第１のものは、前記関節連結可能な継手から延びている。  前記サブコンポーネントのうちの第２のものは、１対の垂直方向に延びる実質的に剛性の支持体と、前記垂直方向に延びる支持体相互間に側方に延びるストラップ及びウェッビングのうちの少なくとも一方とを含む。  前記ストラップ及び前記ウェッビングのうちの前記少なくとも一方は、前記垂直方向に延びる支持体のうちの少なくとも一方に解除自在に取り付けられている。  前記ストラップ及び前記ウェッビングのうちの前記少なくとも一方は、前記垂直方向に延びる支持体の各々に解除自在に取り付けられている。  前記サブコンポーネントのうちの前記第１のものは、１対の垂直方向に延びる実質的に剛性の支持体を含み、前記サブコンポーネントのうちの第２のものは、前記１対の垂直方向に延びる支持体相互間に側方に解除自在に結合されたストラップ及びウェッビングのうちの一方を含む。  前記少なくとも１つの結合コンポーネントは、患者昇降装置の突叉を受け入れる第１の受け具を含む。  前記第１の受け具は、前記関節連結可能な継手の関節連結軸線に実質的に垂直に延びている。  前記第１の受け具は、前記関節連結可能な継手の関節連結軸線に実質的に平行に延びている。  前記関節連結可能な継手の関節連結軸線に実質的に平行に延びていて、患者昇降装置の突叉を受け入れる第２の受け具を更に有する。  前記結合コンポーネントは、患者昇降装置の少なくとも１対の突叉を対応関係をなして受け入れる少なくとも２つの受け具を含む。  前記１対の受け具は、前記関節連結可能な継手の関節連結軸線に実質的に垂直に延びている。  前記１対の受け具は、前記関節連結可能な継手の関節連結軸線に実質的に平行に延びている。  前記第１の受け具は、少なくとも前記患者昇降装置による前記患者の移動中、前記フレームを前記患者昇降装置の前記突叉上にロックするようになったロックを含む。  前記上半身フレームセグメント及び前記下半身フレームセグメントのうちの少なくとも一方に設けられた少なくとも１つの結合コンポーネントを更に有し、前記結合コンポーネントは、車椅子装置、スクータ装置、及び電動機付き車両から成る群から取られた患者用自走装置の相補する結合コンポーネントに結合されるようになっている。  前記少なくとも１つの結合コンポーネントは、更に、車椅子装置、スクータ装置、及び電動機付き車両から成る群から取られた患者用自走装置の相補する結合コンポーネントに結合されるようになっている。  前記下半身フレームセグメントは、下半身フレームセグメントの大腿サブセグメントと脛サブセグメントを分離する第２の関節連結可能な継手を更に含み、前記第２の関節連結可能な継手は、患者の膝の近くで前記下半身フレームセグメントの前記大腿サブセグメント及び前記脛サブセグメントの関節連結を可能にするようになっている。  前記第１のフレーム構造及び前記第２のフレーム構造は各々、１対の剛性の長手方向支持体及び前記剛性長手方向支持体相互間に延びると共にこれら支持体に取り付けられた剛性側方支持体を含む。  前記１対の剛性長手方向支持体は、少なくとも１６インチ（４０．６４ｃｍ）だけ互いに離されており、前記１対の剛性長手方向支持体は、長さが少なくとも２４インチ（６０．９６ｃｍ）である。  前記上半身フレームセグメントは、患者の少なくとも上胴体部分を実質的に完全に支持するようになっており、前記下半身フレームセグメントは、患者の大腿を実質的に完全に支持するようになっている。  患者の外骨格支持体となるフレームであって、  少なくとも第１の実質的に剛性のフレーム構造を含む第１のフレームコンポーネントを有し、  前記第１のフレームコンポーネントに解除自在に結合された第２のフレームコンポーネントを有し、前記第２のフレームコンポーネントは、少なくとも第２の実質的に剛性のフレーム構造を含み、互いに結合された前記第１のフレームコンポーネントと前記第２のフレームコンポーネントは、患者の胴体部分及び患者の大腿を実質的に完全に支持するようになっており、  上半身フレームセグメント及び下半身フレームセグメントのうちの少なくとも一方に設けられた少なくとも１つの結合コンポーネントを有し、前記結合コンポーネントは、これと相補する患者移動装置の結合コンポーネントに結合されるようになっている。  前記結合コンポーネントは、患者移動装置の突叉を受け入れるようになった第１の受け具を含む。  前記第１の受け具は、前記フレームに関して側方に対し実質的に垂直の方向に延びている。  前記第１の受け具は、前記フレームに対して実質的に側方に延びている。  患者移動装置の突叉を受け入れる第２の受け具を更に有する。  前記第１の受け具は、前記フレームに対し実質的に側方に延び、前記第２の受け具は、前記フレームに関し前記側方に対して実質的に垂直の方向に延びている。  前記第１のフレーム構造及び前記第２のフレーム構造は、少なくとも１つの実質的に剛性の垂直支持体を含み、前記第１の受け具は、前記第１のフレーム構造及び前記第２のフレーム構造のうちの一方の前記剛性垂直支持体に取り付けられた受け具ハウジング内に位置している。  前記結合コンポーネントは、前記第１のフレーム構造及び前記第２のフレーム構造のうちの少なくとも一方が平らに置かれたとき、前記一方のフレーム構造の残部に対して高くなった前記一方のフレーム構造の一部分を有し、それにより、前記一方のフレーム構造の下に中空区分が形成される。  前記結合コンポーネントは、少なくとも患者昇降装置による前記患者の移動中、前記フレームを患者昇降装置の突叉上にロックするようになったロックを含む。  患者の外骨格支持体となるフレームであって、  患者の胴体の少なくとも一部に対して剛性の支持体となる第１の手段と、前記第１の手段に組み付けられていて、患者の大腿の少なくとも一部に対して剛性の支持体となる第２の手段と、患者を前記組み付けられた第１及び第２の手段に固定する手段と、  前記組み付けられた第１及び第２の手段を患者移動装置の昇降コンポーネントに解除自在に結合する手段とを有する、フレーム。